(57)【要約】　　　（修正有）【課題】出産前、出産後を通じて着用することができる婦人服を提供する。【解決手段】腰部１にマチ布２を有する。マチ布２の端縁３にファスナ４を設ける。ファスナ４の開閉により、腹部周囲長を調整可能とする。【選択図】　図２
0003098982.tif 000002
【実用新案登録請求の範囲】
【請求項１】
腰部（１）にマチ布（２）を有し、該マチ布（２）の端縁（３）にファスナ（４）を設け、該ファスナ（４）の開閉により、腹部周囲長（Ｌ）を調整可能としたことを特徴とする婦人服。
【請求項２】
腰部（１）にマチ布（２）を有し、該マチ布（２）の端縁（３）にファスナ（４）を設け、該ファスナ（４）の開閉により、腹部周囲長（Ｌ）を調整可能とし、かつ、該ファスナ（４）がコンシールファスナから成ることを特徴とする婦人服。
【請求項３】
腰部（１）にマチ布（２）を有し、該マチ布（２）の端縁（３）にファスナ（４）を設け、該ファスナ（４）の開閉により、腹部周囲長（Ｌ）を調整可能とし、かつ、全体をスカート形状又はズボン形状としたことを特徴とする婦人服。
【請求項４】
腰部（１）にマチ布（２）を有し、該マチ布（２）の端縁（３）にファスナ（４）を設け、該ファスナ（４）の開閉により、腹部周囲長（Ｌ）を調整可能とし、かつ、全体をジャケット形状とし、さらに、上記マチ布（２）を脇下（５）まで配設したことを特徴とする婦人服。
【考案の詳細な説明】
【０００１】
【考案の属する技術分野】
本考案は、婦人服に関する。
【０００２】
【従来の技術】
一般に、妊婦は、お腹が大きくなると、マタニティー専用の婦人服を着るか、デザイン的に腹部まわりにゆとりのある婦人服を着用する必要がある。
【０００３】
【考案が解決しようとする課題】
しかし、約１０ヶ月間に着用するためだけに、新しい服（マタニティーウエア、マタニティードレス等）を購入するので、出費がかさんでいた。
そこで、本考案は、出産前、出産後を通じて着用することができる婦人服を提供することを目的とする。
【０００４】
【課題を解決するための手段】
上述の目的を達成するために、本考案に係る婦人服は、腰部にマチ布を有し、該マチ布の端縁にファスナを設け、該ファスナの開閉により、腹部周囲長を調整可能としたものである。
【０００５】
また、腰部にマチ布を有し、該マチ布の端縁にファスナを設け、該ファスナの開閉により、腹部周囲長を調整可能とし、かつ、該ファスナがコンシールファスナから成るものである。
【０００６】
また、腰部にマチ布を有し、該マチ布の端縁にファスナを設け、該ファスナの開閉により、腹部周囲長を調整可能とし、かつ、全体をスカート形状又はズボン形状としたものである。
【０００７】
また、腰部にマチ布を有し、該マチ布の端縁にファスナを設け、該ファスナの開閉により、腹部周囲長を調整可能とし、かつ、全体をジャケット形状とし、さらに、上記マチ布を脇下まで配設したものである。
【０００８】
【考案の実施の形態】
以下、実施の形態を示す図面に基づき、本考案を詳説する。
【０００９】
図１・図２は、本考案の第１の実施の形態を示す。この婦人服Ｗは、全体がスカート形状である。そして、腹部まわりのサイズ───すなわち、腹部周囲長Ｌ（図５・図６参照）───が調整可能である。図１は、腹部周囲長Ｌを短くした状態を示す。図２は、腹部周囲長Ｌを長くした状態を示す。（腹部周囲長Ｌについては、後述する。）
【００１０】
具体的には、図３・図４に示すように、婦人服Ｗは、腰部１に略三角形状のマチ布２を有し、マチ布２の端縁３にファスナ４が設けられている。ファスナ４は、コンシールファスナから成る。ファスナ４の開閉により、腹部周囲長Ｌ（図５・図６参照）が調整可能である。
【００１１】
ファスナ４は、線状第１レール部４ａと、線状第２レール部４ｂを有し、かつ、第１レール部４ａと第２レール部４ｂを連結・離脱するための上下方向に移動自在なつまみ片４ｃを有する。すなわち、つまみ片４ｃを上下方向に移動することにより、ファスナ４を開閉することができる。
【００１２】
図５・図６は、腹部周囲長Ｌを調整した使用状態を示す。すなわち、図５は、ファスナ４を閉じた状態を示し、このとき腹部周囲長Ｌは、短い腹部周囲長Ｌ１　となる。また、図６は、ファスナ４を開いた状態を示し、このとき腹部周囲長Ｌは、長い腹部周囲長Ｌ２　となる。
【００１３】
図７・図８は、第２の実施の形態を示す。すなわち、この婦人服Ｗは、全体がジャケット形状である。図７は、ファスナ４を閉じた状態を示す。図８は、ファスナ４を開いた状態を示す。
図９・図１０に示すように、マチ布２は脇下５まで配設される。（なお、６は前身頃を示し、７は後身頃を示し、８は袖を示す。）
【００１４】
なお、本考案は、設計変更可能であって、例えば、全体がズボン形状、シャツ形状であっても良い。
【００１５】
【考案の効果】
本考案は、上述の如く構成されるので、次に記載する効果を奏する。
【００１６】
（請求項１，２，３，４によれば）腹部まわりのサイズを変化させることができるので、出産前、出産後を通じて着用することができる。出産後も着用することができるので、経済的である。
【００１７】
（請求項２によれば）閉じた状態に於てファスナ４を外部から見えないように隠すことができる。
（請求項３によれば）出産前、出産後を通じて、スカートやズボンを着用することができる。
（請求項４によれば）出産前、出産後を通じて、ジャケットを着用することができる。マチ布２を脇下５まで配設するので、外観上自然な範囲で、大幅に腹部まわりのサイズを変更させることができる。
【図面の簡単な説明】
【図１】本考案の第１の実施の形態を示す正面図である。
【図２】正面図である。
【図３】要部拡大側面図である。
【図４】要部拡大側面図である。
【図５】使用状態を示す説明用断面平面図である。
【図６】使用状態を示す説明用断面平面図である。
【図７】第２の実施の形態を示す正面図である。
【図８】正面図である。
【図９】要部拡大側面図である。
【図１０】要部拡大側面図である。
【符号の説明】
１　腰部
２　マチ布
３　端縁
４　ファスナ
５　脇下
Ｌ　腹部周囲長
【図１】
0003098982.tif 000003
【図２】
0003098982.tif 000004
【図３】
0003098982.tif 000005
【図４】
0003098982.tif 000006
【図５】
0003098982.tif 000007
【図６】
0003098982.tif 000008
【図７】
0003098982.tif 000009
【図８】
0003098982.tif 000010
【図９】
0003098982.tif 000011
【図１０】
0003098982.tif 000012
【手続補正書】
【提出日】平成15年8月8日(2003.8.8)
【手続補正１】
【補正対象書類名】明細書
【補正対象項目名】全文
【補正方法】変更
【補正の内容】
【考案の詳細な説明】
【実用新案登録請求の範囲】
【請求項１】腰部（１）にマチ布（２）を有し、該マチ布（２）の端縁（３）にファスナ（４）を設け、該ファスナ（４）の開閉により、腹部周囲長（Ｌ）を調整可能としたことを特徴とする婦人服。
【請求項２】腰部（１）にマチ布（２）を有し、該マチ布（２）の端縁（３）にファスナ（４）を設け、該ファスナ（４）の開閉により、腹部周囲長（Ｌ）を調整可能とし、かつ、該ファスナ（４）がかみ合わせる務歯の部分がテープに隠れるようになっているファスナから成ることを特徴とする婦人服。
【請求項３】腰部（１）にマチ布（２）を有し、該マチ布（２）の端縁（３）にファスナ（４）を設け、該ファスナ（４）の開閉により、腹部周囲長（Ｌ）を調整可能とし、かつ、全体をスカート形状又はズボン形状としたことを特徴とする婦人服。
【請求項４】腰部（１）にマチ布（２）を有し、該マチ布（２）の端縁（３）にファスナ（４）を設け、該ファスナ（４）の開閉により、腹部周囲長（Ｌ）を調整可能とし、かつ、全体をジャケット形状とし、さらに、上記マチ布（２）を脇下（５）まで配設したことを特徴とする婦人服。
【考案の詳細な説明】
【０００１】
【考案の属する技術分野】
本考案は、婦人服に関する。
【０００２】
【従来の技術】
一般に、妊婦は、お腹が大きくなると、マタニティー専用の婦人服を着るか、デザイン的に腹部まわりにゆとりのある婦人服を着用する必要がある。
【０００３】
【考案が解決しようとする課題】
しかし、約１０ヶ月間に着用するためだけに、新しい服（マタニティーウエア、マタニティードレス等）を購入するので、出費がかさんでいた。
そこで、本考案は、出産前、出産後を通じて着用することができる婦人服を提供することを目的とする。
【０００４】
【課題を解決するための手段】
上述の目的を達成するために、本考案に係る婦人服は、腰部にマチ布を有し、該マチ布の端縁にファスナを設け、該ファスナの開閉により、腹部周囲長を調整可能としたものである。
【０００５】
また、腰部にマチ布を有し、該マチ布の端縁にファスナを設け、該ファスナの開閉により、腹部周囲長を調整可能とし、かつ、該ファスナがかみ合わせる務歯の部分がテープに隠れるようになっているファスナから成るものである。
【０００６】
また、腰部にマチ布を有し、該マチ布の端縁にファスナを設け、該ファスナの開閉により、腹部周囲長を調整可能とし、かつ、全体をスカート形状又はズボン形状としたものである。
【０００７】
また、腰部にマチ布を有し、該マチ布の端縁にファスナを設け、該ファスナの開閉により、腹部周囲長を調整可能とし、かつ、全体をジャケット形状とし、さらに、上記マチ布を脇下まで配設したものである。
【０００８】
【考案の実施の形態】
以下、実施の形態を示す図面に基づき、本考案を詳説する。
【０００９】
図１・図２は、本考案の第１の実施の形態を示す。この婦人服Ｗは、全体がスカート形状である。そして、腹部まわりのサイズ───すなわち、腹部周囲長Ｌ（図５・図６参照）───が調整可能である。図１は、腹部周囲長Ｌを短くした状態を示す。図２は、腹部周囲長Ｌを長くした状態を示す。（腹部周囲長Ｌについては、後述する。）
【００１０】
具体的には、図３・図４に示すように、婦人服Ｗは、腰部１に略三角形状のマチ布２を有し、マチ布２の端縁３にファスナ４が設けられている。ファスナ４は、かみ合わせる務歯の部分がテープに隠れるようになっているファスナから成る。ファスナ４の開閉により、腹部周囲長Ｌ（図５・図６参照）が調整可能である。
【００１１】
ファスナ４は、線状第１レール部４ａと、線状第２レール部４ｂを有し、かつ、第１レール部４ａと第２レール部４ｂを連結・離脱するための上下方向に移動自在なつまみ片４ｃを有する。すなわち、つまみ片４ｃを上下方向に移動することにより、ファスナ４を開閉することができる。
【００１２】
図５・図６は、腹部周囲長Ｌを調整した使用状態を示す。すなわち、図５は、ファスナ４を閉じた状態を示し、このとき腹部周囲長Ｌは、短い腹部周囲長Ｌ１　となる。また、図６は、ファスナ４を開いた状態を示し、このとき腹部周囲長Ｌは、長い腹部周囲長Ｌ２　となる。
【００１３】
図７・図８は、第２の実施の形態を示す。すなわち、この婦人服Ｗは、全体がジャケット形状である。図７は、ファスナ４を閉じた状態を示す。図８は、ファスナ４を開いた状態を示す。
図９・図１０に示すように、マチ布２は脇下５まで配設される。（なお、６は前身頃を示し、７は後身頃を示し、８は袖を示す。）
【００１４】
なお、本考案は、設計変更可能であって、例えば、全体がズボン形状、シャツ形状であっても良い。
【００１５】
【考案の効果】
本考案は、上述の如く構成されるので、次に記載する効果を奏する。
【００１６】
（請求項１，２，３，４によれば）腹部まわりのサイズを変化させることができるので、出産前、出産後を通じて着用することができる。出産後も着用することができるので、経済的である。
【００１７】
（請求項２によれば）閉じた状態に於てファスナ４を外部から見えないように隠すことができる。
（請求項３によれば）出産前、出産後を通じて、スカートやズボンを着用することができる。
（請求項４によれば）出産前、出産後を通じて、ジャケットを着用することができる。マチ布２を脇下５まで配設するので、外観上自然な範囲で、大幅に腹部まわりのサイズを変更させることができる。
【図面の簡単な説明】
【図１】本考案の第１の実施の形態を示す正面図である。
【図２】正面図である。
【図３】要部拡大側面図である。
【図４】要部拡大側面図である。
【図５】使用状態を示す説明用断面平面図である。
【図６】使用状態を示す説明用断面平面図である。
【図７】第２の実施の形態を示す正面図である。
【図８】正面図である。
【図９】要部拡大側面図である。
【図１０】要部拡大側面図である。
【符号の説明】
１　腰部
２　マチ布
３　端縁
４　ファスナ
５　脇下
Ｌ　腹部周囲長